(57)【要約】      （修正有）【課題】検体種の違いに起因する検査結果の変動を防止することができ、もって検査・分析精度が向上されたマイクロチップを提供する。【解決手段】内部に形成された空間からなる流体回路を備え、流体回路が、第１壁２０１によって画される第１空間からなる液体を計量するための計量部２００、並びに、第２壁１０１によって画される第２空間からなり、計量部と空間的に接続されている液体導入部１００を含み、第２壁における第１壁側の末端１０１ａが第１壁と離間している。【選択図】図１
2014134393.tif 000002
【特許請求の範囲】
【請求項１】
内部に形成された空間からなる流体回路を備え、
前記流体回路は、
第１壁によって画される第１空間からなる液体を計量するための計量部と、
第２壁によって画される第２空間からなり、計量部と空間的に接続されている液体導入部と、
を含み、
第２壁における第１壁側の末端が第１壁と離間しているマイクロチップ。
【請求項２】
前記流体回路は、第３壁によって画される第３空間からなり、計量部と空間的に接続されている、計量部へ前記液体を導入したときに計量部から溢れ出る過剰の液体を収容するための溢出液収容部をさらに含み、
第３壁が第１壁と離間している請求項１に記載のマイクロチップ。
【請求項３】
対向する両表面に溝を有する第１基板と、第１基板の一方の表面上に積層される第２基板と、第１基板の他方の表面上に積層される第３基板とを含み、
前記流体回路は、第１基板の溝と第２基板の第１基板側表面とによって形成される第１流体回路、並びに、第１基板の溝と第３基板の第１基板側表面とによって形成される第２流体回路からなり、
第１流体回路が前記計量部を含み、第２流体回路が前記溢出液収容部を含み、かつ、
前記計量部を形成する溝底面において、第１基板を厚み方向に貫通する貫通穴を有する請求項２に記載のマイクロチップ。
【請求項４】
表面に溝を有する第１基板と、第１基板における前記溝を有する側の表面上に積層される第２基板とを含み、
前記流体回路は、第１基板の溝と第２基板の第１基板側表面とによって形成される空間からなる請求項１又は２に記載のマイクロチップ。
【請求項５】
対向する両表面に溝を有する第１基板と、第１基板の一方の表面上に積層される第２基板と、第１基板の他方の表面上に積層される第３基板とを含み、
前記流体回路は、第１基板の溝と第２基板の第１基板側表面とによって形成される第１流体回路、並びに、第１基板の溝と第３基板の第１基板側表面とによって形成される第２流体回路からなり、
第１流体回路が前記計量部及び前記溢出液収容部を含む請求項２に記載のマイクロチップ。
【請求項６】
前記第１壁は、前記液体を導入するための開口を有するように湾曲した第１壁部分を含み、
前記開口における前記第１空間の断面積が、第１壁部分によって囲まれる空間の断面積の中で最も小さい請求項１〜５のいずれか１項に記載のマイクロチップ。
【請求項７】
前記第１壁は、
前記液体を導入するための開口を有するように湾曲した第１壁部分と、
第１壁部分の一端から外方に向けて直線状に延びる第２壁部分と、
を含む請求項１〜６のいずれか１項に記載のマイクロチップ。
【請求項８】
前記第２壁は、対向配置される線状の２つの壁を含む請求項１〜７のいずれか１項に記載のマイクロチップ。
【発明の詳細な説明】
【技術分野】
【０００１】
本発明は、生化学検査、化学合成又は環境分析等に好適に用いることができる、内部に流体回路を有するマイクロチップに関し、より詳しくは、検査・分析精度が向上されたマイクロチップに関する。
【背景技術】
【０００２】
近年、医療や健康、食品、創薬等の分野で、ＤＮＡ、酵素、抗原、抗体、タンパク質、ウィルス若しくは細胞等の生体物質又は化学物質を検知、検出若しくは定量する重要性が増してきており、それらを簡便に測定できる様々なバイオチップ及びマイクロ化学チップ（以下、これらを総称して「マイクロチップ」と称する。）が提案されている。
【０００３】
マイクロチップは、実験室で従来行ってきた一連の検査・分析操作を、小さなチップ内で行えることから、検体及び液体試薬が微量で済み、コストが低く、反応速度が速く、ハイスループットな検査・分析ができ、検体を採取した現場で直ちに検査・分析結果を得ることができるなど多くの利点を有している。
【０００４】
マイクロチップとしては、流体回路（又はマイクロ流体回路）と呼ばれる、該回路内に存在する検体や液体試薬等の液体に対して特定の処理を行うための複数種類の部位（室）と、これらの部位を接続する流路とから構成される流路網をその内部に備えたものが従来公知である（例えば特許文献１〜３）。
【先行技術文献】
【特許文献】
【０００５】
【特許文献１】特開２００７−２８５７９２号公報
【特許文献２】特開２００９−１３３８０５号公報
【特許文献３】特開２００９−１０９４２９号公報
【発明の概要】
【発明が解決しようとする課題】
【０００６】
上記のような流体回路を内部に備えるマイクロチップを用いた検体の検査又は分析等においては、その流体回路を利用して、流体回路内に導入された検体（又は検体中の特定成分）と混合される液体試薬を収容する液体試薬保持部からの液体試薬の排出、検体（又は検体中の特定成分）や液体試薬の計量（すなわち、計量を行うための部位である計量部への移動）、検体（又は検体中の特定成分）と液体試薬との混合（すなわち、これらを混合するための部位である混合部への移動）、ある部位から他の部位への移動等の種々の処理が行われる。
【０００７】
マイクロチップ内でなされる、各種液体（検体、検体中の特定成分、液体試薬、又はこれらのうちの２種以上の混合物など）に対してなされる上記のような処理を、以下では「流体処理」ともいう。これら種々の流体処理は、マイクロチップに対して適切な方向の遠心力を印加することにより行うことができる。
【０００８】
従来のマイクロチップを用いた検体の検査又は分析等における問題点を図１０を参照しながら説明する。図１０は、従来のマイクロチップ５００が有する流体回路構造を示す上面図である。マイクロチップ５００は、流体回路を形成する溝（溝パターン）を表面に有する第１基板と、第１基板の溝形成面上に積層、貼合される第２基板とからなる。流体回路は、マイクロチップ５００の内部に形成される空間からなるものであるが、流体回路構造を明確に把握できるよう、図１０では流体回路構造を実線で示している。
【０００９】
マイクロチップを用いた検体の検査・分析方法を、検体が全血であり、流体回路内で全血から血漿成分を取り出し、この血漿成分について検査・分析を行う場合を例に挙げて簡単に説明すると次のとおりである。まず、全血を採取したサンプル管をサンプル管載置部５０１に挿入する。次に、マイクロチップ５００に対して、図１０における左向き方向（以下、単に左向きという。他の方向についても以下同様。）に遠心力を印加し、サンプル管から全血を取り出した後、下向きの遠心力により全血を分離部５０２に導入して遠心分離を行い、血漿成分と血球成分とに分離する。全血を分離部５０２に導入した際、そこから溢れ出た全血は溢出液収容部５１５に収容される。また、この下向き遠心力によって、液体試薬保持部５０４内の液体試薬Ｓ１を液体試薬計量部５０６に導入し計量を行う。液体試薬Ｓ１を液体試薬計量部５０６に導入した際、そこから溢れ出た液体試薬Ｓ１は溢出液収容部５１５に収容される。
【００１０】
なお、図１０の５１３及び５１４はそれぞれ、液体試薬保持部５０４、５０５に液体試薬を注入するための試薬注入口である。
【００１１】
次いで、分離された血漿成分を、右向き遠心力により検体計量部５０３に導入し計量を行う。血漿成分を検体計量部５０３に導入した際、そこから溢れ出た血漿成分は溢出液収容部５１６に収容される。また、この右向き遠心力によって、液体試薬計量部５０６にて計量された液体試薬Ｓ１は混合部５０９に移動するとともに、液体試薬保持部５０５内の液体試薬Ｓ２はその排出口から排出される。
【００１２】
次に、下向き遠心力により、計量された血漿成分と液体試薬Ｓ１とを混合部５０８にて混合する。また、この下向き遠心力によって、液体試薬Ｓ２を液体試薬計量部５０７にて計量する。次いで、右向き、下向き、右向き遠心力を順次印加して、混合液を混合部５０８及び５０９間で行き来させて、混合液の十分な混合を行う。
【００１３】
次に、上向き遠心力により、液体試薬Ｓ１及び血漿成分からなる混合液と計量された液体試薬Ｓ２とを混合部５１０にて混合する。次いで、左向き、上向き、左向き、上向き遠心力を順次印加して、混合液を混合部５１０及び５１１間で行き来させて、混合液の十分な混合を行う。最後に、右向き遠心力により、混合部５１０内の混合液を検出部５１２に導入する。検出部５１２内の混合液は、たとえば、検出部５１２に光を照射し、その透過光の強度を測定する等の光学測定に供される。
【００１４】
上で説明した流体処理の例は、全血から血漿成分を取り出し、血漿成分について検査・分析を行う場合の例であるが、血漿成分を液体試薬と混合するのではなく、予め調製した血清を流体回路に導入して同じ項目について検査を行うこともある。このような場合において、マイクロチップ５００のような従来のマイクロチップでは、検査対象として血漿成分を用いる場合と、血清を用いる場合とで検査の測定結果が異なることがあった。
【００１５】
そこで本発明は、検体種の違いに起因する検査結果の変動を防止することができ、もって検査・分析精度が向上されたマイクロチップを提供することを目的とする。
【課題を解決するための手段】
【００１６】
本発明者は、検体種の違いに起因して生じる上述のような検査結果の変動の原因が、マイクロチップへの遠心力の印加により液体を計量部に導入して計量する際に、計量された計量部内の液体の一部がその濡れ性による張力によって流体回路を形成する溝の側壁面を伝わって計量部外へ流出してしまい、計量部にて計量されるべき量より若干少ない量で計量されることがあること、及び、計量部外への流出量が検体の種類に依存することにあることを見出し、この原因を解消すべく種々検討して本発明を完成させた。
【００１７】
すなわち本発明は、以下のものを含む。
［１］  内部に形成された空間からなる流体回路を備え、
前記流体回路は、
第１壁によって画される第１空間からなる液体を計量するための計量部と、
第２壁によって画される第２空間からなり、計量部と空間的に接続されている液体導入部と、
を含み、
第２壁における第１壁側の末端が第１壁と離間しているマイクロチップ。
【００１８】
［２］  前記流体回路は、第３壁によって画される第３空間からなり、計量部と空間的に接続されている、計量部へ前記液体を導入したときに計量部から溢れ出る過剰の液体を収容するための溢出液収容部をさらに含み、
第３壁が第１壁と離間している［１］に記載のマイクロチップ。
【００１９】
［３］  対向する両表面に溝を有する第１基板と、第１基板の一方の表面上に積層される第２基板と、第１基板の他方の表面上に積層される第３基板とを含み、
前記流体回路は、第１基板の溝と第２基板の第１基板側表面とによって形成される第１流体回路、並びに、第１基板の溝と第３基板の第１基板側表面とによって形成される第２流体回路からなり、
第１流体回路が前記計量部を含み、第２流体回路が前記溢出液収容部を含み、かつ、
前記計量部を形成する溝底面において、第１基板を厚み方向に貫通する貫通穴を有する［２］に記載のマイクロチップ。
【００２０】
［４］  表面に溝を有する第１基板と、第１基板における前記溝を有する側の表面上に積層される第２基板とを含み、
前記流体回路は、第１基板の溝と第２基板の第１基板側表面とによって形成される空間からなる［１］又は［２］に記載のマイクロチップ。
【００２１】
［５］  対向する両表面に溝を有する第１基板と、第１基板の一方の表面上に積層される第２基板と、第１基板の他方の表面上に積層される第３基板とを含み、
前記流体回路は、第１基板の溝と第２基板の第１基板側表面とによって形成される第１流体回路、並びに、第１基板の溝と第３基板の第１基板側表面とによって形成される第２流体回路からなり、
第１流体回路が前記計量部及び前記溢出液収容部を含む［２］に記載のマイクロチップ。
【００２２】
［６］  前記第１壁は、前記液体を導入するための開口を有するように湾曲した第１壁部分を含み、
前記開口における前記第１空間の断面積が、第１壁部分によって囲まれる空間の断面積の中で最も小さい［１］〜［５］のいずれか１項に記載のマイクロチップ。
【００２３】
［７］  前記第１壁は、
前記液体を導入するための開口を有するように湾曲した第１壁部分と、
第１壁部分の一端から外方に向けて直線状に延びる第２壁部分と、
を含む［１］〜［６］のいずれか１項に記載のマイクロチップ。
【００２４】
［８］  前記第２壁は、対向配置される線状の２つの壁を含む［１］〜［７］のいずれか１項に記載のマイクロチップ。
【発明の効果】
【００２５】
本発明のマイクロチップによれば、計量された計量部内の液体の、濡れ性による張力に基づく意図しない流出を、検体の種類に依らず防止することができるため、検体の種類に依らず正確な計量を行うことができる。従って本発明のマイクロチップによれば、検体種の違いに起因する検査・分析結果の変動を防止することができるとともに、検査・分析精度をも向上させることができる。
【図面の簡単な説明】
【００２６】
【図１】第１の実施形態に係るマイクロチップが有する流体回路の特徴部分の一例を示す概略斜視図である。
【図２】第１の実施形態に係るマイクロチップが有する流体回路の特徴部分の他の一例を示す概略斜視図である。
【図３】図１に示される計量部２００を形成する側壁（第１壁）を拡大して示す図である。
【図４】第１の実施形態に係るマイクロチップが有する流体回路の特徴部分の他の一例を示す概略斜視図である。
【図５】第２の実施形態に係るマイクロチップが有する流体回路の特徴部分の一例を示す概略斜視図である。
【図６】第３の実施形態に係るマイクロチップが有する流体回路の特徴部分の一例を示す概略斜視図である。
【図７】第４の実施形態に係るマイクロチップが有する流体回路の特徴部分の一例を示す概略斜視図である。
【図８】実施例１で作製したマイクロチップが有する流体回路の特徴部分を示す概略上面図である。
【図９】比較例１で作製したマイクロチップが有する流体回路の特徴部分を示す概略上面図である。
【図１０】従来のマイクロチップが有する流体回路構造の一例を示す上面図である。
【発明を実施するための形態】
【００２７】
＜マイクロチップの概要＞
本発明のマイクロチップは、各種化学合成、検査又は分析等を、それが内部に有する流体回路（内部に形成された空間）を用いて行うチップであり、流体回路内の液体（検体、検体中の特定成分、液体試薬等の試薬、及び、これらのうちの２種以上の混合物など）を遠心力の印加により流体回路内の所定の部位（室）に移動させることにより、該液体に対して適切な流体処理を行うことができるものである。このために流体回路は、適切な位置に配置された種々の部位（室）を備えており、これらの部位は流路を介して適切に接続されている。
【００２８】
「検体」とは、流体回路内に導入される検査・分析の対象となる試料又はそこから取り出された特定成分をいう。また、「液体試薬」とは、検体と混合若しくは反応、又は該検体を処理するための試薬である。液体試薬は、通常、マイクロチップによる検体の検査・分析前に、予め流体回路の液体試薬保持部に内蔵されている。
【００２９】
流体回路が有する上記部位（室）としては、液体試薬を収容する液体試薬保持部；流体回路内に導入された検体から特定成分を取り出すための分離部；検体（上述のように、検体中の特定成分である場合を含む。以下同じ。）を計量するための検体計量部；液体試薬を計量するための液体試薬計量部；検体と液体試薬とを混合するための混合部；得られた混合液についての検査又は分析（例えば、混合液中の特定成分の検出又は定量）を行うための検出部；流量制限部；特定の液体を一時的に収容しておくための収容部；不要な液体を収容するための廃液収容部（例えば、計量部に液体を導入して計量を行う際に計量部から溢れ出た過剰の液体を収容するための溢出液収容部）等を挙げることができる。
【００３０】
流量制限部とは、計量部や分離部等に液体をスムーズにかつ空気の噛み込み等なく導入することを可能にするために、これらの部位に導入される直前の液体の流量や液幅を低減させるために設けられる流路幅の狭い（又は流路断面積の小さい）流路部分を含む部位である。
【００３１】
マイクロチップは通常、その一方の表面に、液体試薬保持部内に液体試薬を注入するための、液体試薬保持部まで貫通する貫通穴である試薬注入口を有する。試薬注入口は、液体試薬が注入された後、封止層（例えば、一方の面に粘着剤層を有するプラスチックフィルム、ラベル、シール等）をマイクロチップ表面に貼着することにより封止される。また、マイクロチップはその表面に、流体回路まで貫通する（流体回路に接続される）貫通穴である検体を注入するための検体注入口（上述のサンプル管載置部を含む）を有する。
【００３２】
検出部に導入された混合液を検査又は分析するための方法は特に制限されず、例えば、上記混合液を収容している検出部に光を照射して透過する光の強度（透過率）を検出する方法、検出部に保持された混合液についての吸収スペクトルを測定する方法等の光学測定を挙げることができる。
【００３３】
本発明のマイクロチップは、上述の例示された部位（室）のすべてを有していてもよく、いずれか１以上を有していなくてもよく、上述の例示された部位以外の部位を有していてもよいが、上述の検体計量部、液体試薬計量部等の計量部及び溢出液収容部と、後述する液体導入部とを少なくとも有する。各部位の数についても特に制限はなく、１又は２以上であることができる。
【００３４】
検体からの特定成分の抽出（不要成分の分離）、検体及び液体試薬の計量、検体と液体試薬との混合、得られた混合液の検出部への導入等のような流体回路内における種々の流体処理は、マイクロチップに対して適切な方向の遠心力を順次印加して、対象の液体を所定位置に配置された所定の部位に順次移動させることにより行うことができる。例えば、計量部による検体及び液体試薬の計量はそれぞれ、所定の容量（計量すべき量と同じ量）を有する検体計量部又は液体試薬計量部へ、遠心力の印加により計量されるべき検体又は液体試薬を導入し、過剰分の検体又は液体試薬を検体計量部又は液体試薬計量部からオーバーフローさせることにより実施することができる。オーバーフローした検体又は液体試薬は、検体計量部又は液体試薬計量部に空間的に接続された溢出液収容部に収容される。
【００３５】
マイクロチップへの遠心力の印加は、遠心力を印加可能な装置（遠心装置）にマイクロチップを載置して行うことができる。遠心装置は、回転自在なローター（回転子）と、該ローター上に配置された回転自在なステージとを備えることができる。該ステージ上にマイクロチップを載置し、該ステージを回転させてローターに対するマイクロチップの角度を任意に設定したうえでローターを回転させることにより、マイクロチップに対して任意の方向の遠心力を印加することができる。
【００３６】
本発明のマイクロチップは、第１基板とその上に積層、貼合される第２基板とを含んで構成することができ、例えば、第１基板とその上に積層、貼合される第２基板とからなることができる。この場合、第１基板の表面（第２基板に対向する側の表面）には、流体回路を形成する溝（パターン溝）が設けられ、この溝を内側にして両基板を貼合することにより、内部空間としての流体回路が構築される。すなわち本発明のマイクロチップにおいて流体回路は、第１基板が有する溝の底面、溝を形成する壁の側壁面及び第２基板の第１基板側表面によって形成される空間からなる（後述する第３基板をさらに含むマイクロチップが有する第１及び第２流体回路も同様。）。
【００３７】
本発明のマイクロチップは、第２基板と第１基板と第３基板とをこの順で積層、貼合したものであってもよい。この場合、第１の基板の対向する両面に流体回路を形成する溝が設けられ、マイクロチップは、第１基板と第２基板とによって構築される第１流体回路と、第１基板と第３基板とによって構築される第２流体回路と、の２層の流体回路を備える。「２層」とは、マイクロチップの厚み方向に関して異なる２つの位置に流体回路が設けられていることを意味する。かかる２層の流体回路は、第１基板を厚み方向に貫通する１又は２以上の貫通穴によって接続することができる。
【００３８】
基板同士を貼合する方法は特に限定されず、例えば、貼合する基板のうち、少なくとも一方の基板の貼合面を融解させて溶着する方法（溶着法）、接着剤を用いて接着する方法等を挙げることができる。溶着法としては、基板を加熱して溶着する方法；レーザー等の光を照射して、光吸収により発生する熱によって溶着する方法（レーザー溶着）；超音波を用いて溶着する方法等を挙げることができる。なかでもレーザー溶着法が好ましく用いられる。
【００３９】
本発明のマイクロチップの大きさは特に限定されず、例えば縦横数ｃｍ〜十ｃｍ程度、厚さ数ｍｍ〜数ｃｍ程度とすることができる。
【００４０】
本発明のマイクロチップを構成する上記各基板の材質は特に制限されず、例えば、ポリエチレンテレフタレート（ＰＥＴ）、ポリブチレンテレフタレート（ＰＢＴ）、ポリメチルメタクリレート（ＰＭＭＡ）、ポリカーボネート（ＰＣ）、ポリスチレン（ＰＳ）、ポリプロピレン（ＰＰ）、ポリエチレン（ＰＥ）、ポリエチレンナフタレート（ＰＥＮ）、ポリアリレート樹脂（ＰＡＲ）、アクリロニトリル・ブタジエン・スチレン樹脂（ＡＢＳ）、塩化ビニル樹脂（ＰＶＣ）、ポリメチルペンテン樹脂（ＰＭＰ）、ポリブタジエン樹脂（ＰＢＤ）、生分解性ポリマー（ＢＰ）、シクロオレフィンポリマー（ＣＯＰ）、ポリジメチルシロキサン（ＰＤＭＳ）等の熱可塑性樹脂を用いることができる。
【００４１】
マイクロチップが第１基板と第２基板とからなる場合、検出光を利用する光学測定のための検出部を構築するために、少なくともいずれか一方の基板は透明基板とすることが好ましい。他方の基板は、透明基板であっても不透明基板であってもよいが、レーザー溶着を行う場合には、光吸収率を増大できることから、不透明基板とすることが好ましく、基板を上記熱可塑性樹脂から構成し、該熱可塑性樹脂中にカーボンブラック等の黒色顔料を添加することにより黒色基板とすることがより好ましい。
【００４２】
マイクロチップが第２基板と第１基板と第３基板とから構成される場合、レーザー溶着の効率性の観点から、第１基板を不透明基板とすることが好ましく、黒色基板とすることがより好ましい。一方、第１及び第３基板は、上記と同じ理由から透明基板とすることが好ましい。
【００４３】
第１基板に流体回路を構成する溝（パターン溝）を形成する方法としては、特に制限されず、転写構造を有する金型を用いた射出成形法、インプリント法、切削加工法等を挙げることができる。溝の形状及びパターンは、内部空間の構造が、所望される適切な流体回路構造となるように決定される。
【００４４】
本発明のマイクロチップは、検体計量部及び液体試薬計量部から選択される１以上の計量部、並びに、これに対応する溢出液収容部及び液体導入部を少なくとも含む流体回路を備えるものである。液体導入部とは、計量部の直前（流体処理の上流側）に設けられる部位（室）又は側壁によって画される流路であり、当該部位（室）としては例えば、流量制限部、分離部、液体試薬保持部等が挙げられる。計量部とこれに対応する溢出液収容部及び液体導入部とは、空間的に接続されている。
【００４５】
計量部は、第１基板が有する溝の側壁である第１壁（並びに溝の底面及び第１基板に対向する基板の第１基板側表面）によって画される第１空間からなる。液体導入部は、第１基板が有する溝の側壁である第２壁（並びに溝の底面及び第１基板に対向する基板の第１基板側表面）によって画される第２空間からなる。溢出液収容部は、第１基板が有する溝の側壁である第３壁（並びに溝の底面及び第１基板に対向する基板の第１基板側表面）によって画される第３空間からなる。
【００４６】
本発明のマイクロチップは、以上のような計量部、検体計量部及び液体試薬計量部を有するマイクロチップにおいて、液体導入部の第２壁における第１壁側の末端が計量部の第１壁と離間しており、好ましくはさらに、溢出液収容部の第３壁が計量部の第１壁と離間していることを特徴とする。このような構成によれば、計量部を形成する第１壁と、隣り合う他の部位（液体導入部、さらに好ましくは溢出液収容部）を形成する側壁（第２壁、さらに好ましくは第３壁）とが不連続になっているため、計量された計量部内の液体がその濡れ性による張力に基づいて流体回路を形成する溝の側壁面を伝わって計量部外へ流出してしまうことを、計量される検体の種類に依らず防止することができる。これにより、計量される検体の種類に依らず正確な計量を行うことができ、もって検体種の違いに起因する検査・分析結果の変動を防止することができるとともに、検査・分析精度をも向上させることができる。
【００４７】
上記計量部は検体計量部であってもよいし、液体試薬計量部であってもよいが、少なくとも１以上の検体計量部を含むことが好ましい。これは、検体計量部は液体試薬計量部と比べて比較的微小量の液体を計量する部位であり、濡れ性による張力に基づく流出により計量された液体の量に比較的大きな変動が生じ得るためである。
【００４８】
以下、実施の形態を示して、本発明をより詳細に説明する。
＜第１の実施形態＞
図１は、本実施形態に係るマイクロチップが有する流体回路の特徴部分（計量部、液体導入部、溢出液収容部及びその周辺部分）の一例を示す概略斜視図である。図１に示されるマイクロチップは、透明基板である第１基板１とその溝形成面上にに積層、貼合される不透明基板である第２基板とからなる。ただし、流体回路の特徴部分を形成する第１基板１の溝の構成を明確に把握できるよう、図１において第２基板は割愛されている（後述する図２及び６においても同様。）。
【００４９】
図１に示されるマイクロチップにおいて流体回路は、離間して対向配置される２つの壁部分を有する一対の側壁１０１，１０１（第２壁）によって画される空間（第２空間）からなる流量制限部である液体導入部１００；液体導入部１００の下流側（流体処理における下流側であって、液体導入部１００の直下の領域）に配置され、検体を導入するための開口を有するように湾曲した（略Ｕ字状の）第１壁部分２０１及び第１壁部分２０１の一端（溢出液収容部３００側の一端）から外方（計量部内部とは反対側であって、溢出液収容部３００の方向）に向けて直線状に延びる第２壁部分２０２を含む側壁（第１壁）によって画される空間（第１空間）からなる検体計量部である計量部２００；計量部２００の第２壁部分２０２側に配置され、側壁３０１（第３壁）によって画される空間（第３空間）からなる、計量部２００へ検体を導入したときに計量部２００から溢れ出る過剰の検体を収容するための溢出液収容部３００；並びに、計量部２００の下流側（流体処理における下流側であって、溢出液収容部３００とは反対側の領域）に配置され、計量部２００内の計量された検体を、次の部位（例えば混合部）へ導くための、一対の側壁４０１，４０２によって画される空間からなる流路を含む。
【００５０】
このように、図１に示されるマイクロチップは、２つの基板から構成され、１層の流体回路を備えるマイクロチップであり、この１層の流体回路内に計量部２００、液体導入部１００及び溢出液収容部３００が配置されている。なお、本実施形態の変形例として、マイクロチップを上述のように、第２基板と第１基板と第３基板とをこの順で積層、貼合して、２層の流体回路を有するものとし、第１流体回路内に計量部２００、液体導入部１００及び溢出液収容部３００を配置するようにしてもよい。
【００５１】
図１に示されるマイクロチップにおいて、液体導入部１００を形成する側壁１０１における計量部２００側の末端１０１ａは計量部２００を形成する側壁（第１壁）と離間しており、かつ、溢出液収容部３００の側壁３０１（第３壁）もまた、計量部２００を形成する側壁（第１壁）と離間している。従って、マイクロチップへの遠心力の印加により検体を計量部２００に導入して計量する際、例えば計量した後、遠心力を一旦停止したときにも、計量された計量部２００内の検体は、その濡れ性による張力によって液体導入部１００側や溢出液収容部３００側へ流出することなく、計量部２００内にそのまま保持されるので、正確な計量を行うことができる。計量部２００内の計量された検体は、その後の遠心力の印加により、その全量を側壁４０１，４０２によって画される流路を介して、例えば混合部に移動させることができる。
【００５２】
図２に示されるように、計量部２００を形成する側壁と側壁４０１とは離間していなくてもよい（後述する実施形態においても同様。）。計量部２００内の計量された検体がその濡れ性による張力により流体処理の下流方向へ移動することは検査・分析の精度に悪影響を与えないためである。
【００５３】
溢出液収容部３００の側壁３０１（第３壁）の形状は特に制限されず、液体を収容できるような湾曲した壁部分（例えば、図１に示されるようなＵ字状の他、Ｖ字状、コの字状等）を含む形状であればよい。
【００５４】
図３は、図１に示される計量部２００を形成する側壁（第１壁）を拡大して示す図である。図３に示されるように、第１壁は、検体を導入するための開口２１０を有するように湾曲した第１壁部分２０１と、第１壁部分２０１における溢出液収容部３００側の一端から外方（溢出液収容部３００の方向）に向けて直線状に延びる第２壁部分２０２を含むことが好ましい。このような形状の計量部２００においては、第１壁部分２０１と第２壁部分２０２との接続位置における側壁面（図３に示される領域２０４にある液体導入部１００側の側壁面部分）上に計量された検体の液面Ｘが生じる。
【００５５】
第２壁部分２０２を設けると、第１壁部分２０１と第２壁部分２０２との接続位置における側壁面（計量された検体の液面Ｘが生じる側壁面）とは別の位置に、計量部２００を形成する第１壁の端部（すなわち、第２壁部分の溢出液収容部３００側端部）が生じることになる。このような構成は次の点で有利である。基板同士を貼合してマイクロチップを作製する際、流体回路の溝を形成する側壁の端部上面（又は下面）が対向する基板と十分に接合されない、いわゆる「浮き」が生じることがある。浮きはそれ自体、マイクロチップを用いた検査・分析に悪影響を及ぼさないことも多いが、第１壁部分２０１を有し、第２壁部分２０２を有しない第１壁から形成される計量部において浮きが生じると（すなわち、計量された液体の液面が生じる側壁面と第１壁の端部とが一致し、計量された液体の液面が生じる側壁面に浮きが生じると）、設計された液面とは異なる位置（通常は、計量されるべき量よりも少なくなるような液面位置）に、計量された液体の液面が生じる場合がある。第２壁部分２０２を設けることにより、浮きの発生の有無にかかわらず、液体を正確に計量することができる。
【００５６】
第１壁部分２０１と第２壁部分２０２とがなす外角（図３におけるθ）は、計量時に印加する遠心力の方向や、流体回路における計量部の配置角度等に依存し得るが、通常６０〜１２０度であり、好ましくは７５〜１０５度（例えば９０度前後）である（θは０〜１８０度の範囲を採り得る角度とする。）。
【００５７】
計量部２００において、開口２１０における第１基板１の表面に対して垂直な方向での断面（液面Ｘが生じる断面）の面積は、湾曲した第１壁部分２０１によって囲まれる空間（計量部２００を構成する空間）における上記と同方向での断面の面積の中で最も小さいことが好ましい。液面Ｘが生じる開口２１０における断面積をできるだけ小さくすることにより、計量誤差を最小限に留めることができる。上記断面積の関係は、開口２１０における溝底面の位置を、他の部分における溝底面の位置より高くする（すなわち、溝の深さを小さくする）ことによって達成することができる。
【００５８】
流量制限部である液体導入部１００を形成する側壁の形状は図１に示されるものに制限されず、離間して対向配置される一対の線状（例えば、直線状や曲線状）の壁部分を有していればよい。流量制限部の機能を付与するために、この一対の壁部分間の距離は、通常１０〜１０００μｍとされ、好ましくは５０〜２００μｍとされる。
【００５９】
図４は、本実施形態に係るマイクロチップが有する流体回路の特徴部分の他の一例を示す概略斜視図である。図４において、第１基板１が有する、流体回路を形成する溝の形状（壁の形状）は図１と同じである。図４のマイクロチップは、第２基板２として、第１基板１側の表面に凹部２ａを有する基板を用いていること以外は図１のマイクロチップと同じである。凹部２ａは、計量部２００における第２壁部分２０２側の出口及びその近傍、並びに、第１壁部分２０１における溢出液収容部３００側の一部及び第２壁部分２０２の外側に隣接する領域の直上の位置に設けられている。このような凹部２ａを設けることにより、流体回路の内壁に段差ができるので、計量部内にある計量された液体の意図しない流出（この例においては、溢出液収容部３００側への流出）をより効果的に防止することができる。
【００６０】
＜第２の実施形態＞
図５は、本実施形態に係るマイクロチップが有する流体回路の特徴部分の一例を示す概略斜視図である。図５に示されるマイクロチップは、対向する両表面に溝を有する不透明基板である第１基板１と、第１基板１の一方の表面上に積層される透明基板である第２基板と、第１基板１の他方の表面上に積層される透明基板である第３基板３とで構成されている。ただし、流体回路の特徴部分を形成する第１基板１の溝の構成を明確に把握できるよう、図５（ａ）において第２及び第３基板３は割愛されており（後述する図７においても同様。）、図５（ｂ）において第２基板は割愛されている。
【００６１】
図５に示されるマイクロチップは、第２基板と第１基板１と第３基板３とをこの順で積層、貼合して、２層の流体回路を有するものとし、第１基板１の溝と第２基板の第１基板１側表面とによって形成される第１流体回路（図５（ａ）に示されている流体回路）内に計量部２００及び流量制限部である液体導入部１００を配置し、第１基板１の溝と第３基板３の第１基板１側表面とによって形成される第２流体回路内に溢出液収容部を配置している点で上記第１実施形態とは異なる構造を有している。
【００６２】
第１流体回路内の計量部２００と、第２流体回路内の溢出液収容部とは、計量部２００を形成する溝底面（開口を有するように湾曲した第１壁部分２０１によって囲まれる空間の溝底面）に設けられた、第１基板１を厚み方向に貫通する貫通穴２０５を介して空間的に接続されている。具体的には、貫通穴２０５の第３基板３側の末端は、溢出液収容部を形成する空間に直接連結させるか、又は、溢出液収容部に連結される流路を形成する空間に連結させることができる。
【００６３】
このように、本実施形態においては、第２流体回路内に溢出液収容部を配置し、貫通穴２０５によって計量部２００と溢出液収容部とを空間的に接続することにより、計量部２００を形成する側壁（第１壁）と溢出液収容部を形成する側壁（第３壁）とが離間した構成を実現している。よって本実施形態においても第１の実施形態と同様の効果を得ることができる。
【００６４】
貫通穴２０５を設ける位置は、湾曲した第１壁部分２０１によって囲まれる空間内であって、所望する容量の液体を計量できる位置である。貫通穴２０５を有する計量部２００においては、計量時に計量部２００から溢れ出る過剰の液体は、貫通穴２０５を通って第２流体回路内の溢出液収容部に収容されるため、貫通穴２０５上に（より正確には、貫通穴２０５の下端に沿って）計量された液体の液面が生じる。
【００６５】
本実施形態において、計量部２００を形成する側壁（第１壁）の形状は上記第１の実施形態と同様であってもよいが、湾曲した第１壁部分２０１によって囲まれる空間内に貫通穴２０５を有する計量部２００においては、計量された液体の液面が第１壁の端部に生じることはないため、必ずしも第１の実施形態で述べたような第２壁部分を設ける必要はない。
【００６６】
溢出液収容部の側壁（第３壁）の形状は特に制限されず、液体を収容できるような湾曲した壁部分（例えば、Ｕ字状、Ｖ字状、コの字状等）を含む形状であればよい。
【００６７】
＜第３の実施形態＞
図６は、本実施形態に係るマイクロチップが有する流体回路の特徴部分の一例を示す概略斜視図である。図６に示されるマイクロチップは、１）液体導入部１００が、対向配置される一対の側壁１０２，１０２（第２壁）によって画される空間（第２空間）からなる流路であること、及び、２）検体計量部である計量部２００を形成する側壁（第１壁）が、開口を有するように湾曲した（略Ｕ字状の）第１壁部分２０１と、該開口を２分割するように配置された側壁部分２０３とを含むこと以外は上記第１の実施形態と同様の構成を有している。
【００６８】
すなわち、本実施形態において計量部２００は、側壁部分２０３によって略Ｖ字状に形成されており、第１の実施形態と異なり、液体導入部１００から検体を導入する受け入れるための開口と、計量時に溢れ出た過剰の液体を溢出液収容部３００側へ排出するための開口とを区別している。このように、受け入れ用の開口と排出用の開口とを区別する場合には、検体を一方の開口から受け入れながら、他方の開口から空気を良好に排出させることができるため、液体導入部１００において検体の流量や液幅を調整する必要は必ずしもない。従って、液体導入部１００は流量制限部でなくてもよい。本実施形態において液体導入部１００は、流量制限部、分離部若しくは液体試薬保持部における計量部２００側の一部、又は、側壁よって画される流路等であることができる。
【００６９】
図６に示されるマイクロチップにおいて、液体導入部１００を形成する側壁１０２における計量部２００側の末端１０２ａが計量部２００を形成する側壁（第１壁）と離間しており、かつ、溢出液収容部３００の側壁３０１（第３壁）が計量部２００を形成する側壁（第１壁）と離間している点は上記第１の実施形態と同様である。よって本実施形態においても第１の実施形態と同様の効果を得ることができる。
【００７０】
＜第４の実施形態＞
図７は、本実施形態に係るマイクロチップが有する流体回路の特徴部分の一例を示す概略斜視図である。図７に示される本実施形態のマイクロチップは、液体導入部１００及び計量部２００が第３の実施形態で説明した構成を有すること以外は、第２の実施形態と同様の構成を有している。本実施形態によっても第１の実施形態と同様の効果を得ることができる。
【実施例】
【００７１】
以下、実施例及び比較例１を示して本発明をより具体的に説明するが、本発明はこの実施例に限定されない。
【００７２】
＜実施例１及び比較例１＞
図８及び図９はそれぞれ、実施例１、比較例１で作製したマイクロチップが有する流体回路の特徴部分（計量部、液体導入部、溢出液収容部）を示す概略上面図である。図８に示されるマイクロチップ（実施例１）は、第２基板と第１基板と第３基板とをこの順で積層、貼合して、２層の流体回路を有するものとし、第１基板の溝と第２基板の第１基板側表面とによって形成される第１流体回路内に計量部及び液体導入部を配置し、第１基板の溝と第３基板の第１基板側表面とによって形成される第２流体回路内に溢出液収容部を配置した図７と同様の構成のマイクロチップである。ただし、流体回路の特徴部分を形成する第１基板の溝の構成を明確に把握できるよう、図８において第２及び第３基板は割愛されている。
【００７３】
計量部と溢出液収容部とは、計量部を形成する溝底面（開口を有するように湾曲した第１壁部分２０１によって囲まれる空間の溝底面）に設けられた、第１基板を厚み方向に貫通する貫通穴２０５を介して空間的に接続されている。図８に示されるマイクロチップにおいて液体導入部は、離間して対向配置された一対の側壁（第２壁）１０１，１０１によって形成されている。
【００７４】
一方、図９に示されるマイクロチップ（比較例１）は、第１及び第２基板の２つの基板から構成され、１層の流体回路を備えるマイクロチップであり、この１層の流体回路内に計量部、液体導入部及び溢出液収容部が配置されている。計量部は、略Ｕ字状に湾曲した部分を含む側壁３０５及び３０７に画される空間からなり、側壁３０５から延び、側壁３０５と連続する側壁３０６によって画される空間として、溢出液収容部へと通じる流路が形成されている。従って、計量部を形成する側壁と溢出液収容部を形成する側壁とは連続している。図９に示されるマイクロチップにおいて液体導入部は、離間して対向配置された一対の側壁（第２壁）３０８，３０８によって形成されており、その末端と計量部を形成する側壁３０７とは連続している。
【００７５】
実施例１及び比較例１のマイクロチップは、上記特徴部分の構成以外については実質的に同様の構成を有しており、それらの流体回路はともに、上述の分離部、液体試薬保持部、混合部、検出部等を含む。
【００７６】
上記実施例１及び比較例１のマイクロチップについて次の評価実験を行った。マイクロチップに対して、白抜きの実線矢印で図８、図９に示される方向の遠心力を印加することにより、検体１０を液体導入部を通過させた後（液体導入部内の点線矢印参照）、計量部に導入して検体１０の計量を行った。実施例１のマイクロチップにおいては、計量時に計量部から溢れ出る過剰の検体１０は貫通穴２０５を通って第２流体回路の溢出液収容部に収容される。比較例１のマイクロチップにおいては、過剰の検体１０は側壁３０６によって画される流路を介して溢出液収容部に収容される（側壁３０６近傍の点線矢印参照）。図８及び図９は、計量部に検体１０が充填された計量後の状態を示している。
【００７７】
計量部に導入される検体１０として血漿成分と血清を用い、それぞれの検体について１０個のマイクロチップを用いて１０回流体処理を行って、それぞれについて検出部に導入された混合液についてクレアチンキナーゼ（ＣＫ）値〔単位：Ｕ／Ｌ〕を測定した。結果を表１に示す。
【００７８】
【表１】
2014134393.tif 000003
【００７９】
表１に示されるとおり、「血漿／血清」値（血漿成分を用いた場合のＣＫ値の平均値／血清を用いた場合のＣＫ値の平均値）は１．００であった。このように、実施例１のマイクロチップによれば、血漿成分と血清とで同じ測定結果が得られることがわかった。また、ＣＶ値が比較例１の５．２〜６．３％から２．７〜２．９％に向上していることから、実施例１のマイクロチップによれば、測定精度自体も改善できることがわかった。
【００８０】
一方、比較例１のマイクロチップは、検体１０が血漿成分である場合の測定結果と血清である場合の測定結果との相違が大きく、測定精度も実施例１のマイクロチップと比べて低い。これは次の理由による。すなわち、計量時に計量部から過剰の検体１０が溢出液収容部に移動する際、通過する経路の側壁にわずかに検体１０が付着する。そして、その検体１０が付着した側壁に対する濡れ性は、検体１０が血漿成分であるときの方が高い。従って、計量後マイクロチップに対する遠心力の印加を停止したときなどに、図９の実線矢印で示すように、計量部から溢出液収容部の方向へ、濡れ性による張力によって側壁を伝って移動する検体１０の量は、検体１０が血漿成分であるときの方が多くなり、これにより検体１０が血漿成分である場合の測定結果と血清である場合の測定結果との相違が大きくなるとともに、測定精度も低下する。計量された計量部内の検体１０が濡れ性による張力によって液体導入部側へ流出することも、検体１０が血漿成分である場合の測定結果と血清である場合の測定結果との相違及び測定精度の低下をもたらし得る。
【符号の説明】
【００８１】
１  第１基板、２  第２基板、２ａ  凹部、３  第３基板、１０  検体、１００  液体導入部、１０１，１０２，３０８  側壁（第２壁）、１０１ａ，１０２ａ  側壁（第２壁）の末端、２００  計量部、２０１  第１壁の第１壁部分、２０２  第１壁の第２壁部分、２０３  側壁部分、２０４  領域、２０５  貫通穴、２１０  開口、３００  溢出液収容部、３０１  溢出液収容部の側壁（第３壁）、３０５，３０６，３０７  側壁、４０１，４０２  流路の側壁、５００  マイクロチップ、５０１  サンプル管載置部、５０２  分離部、５０３  検体計量部、５０４，５０５  液体試薬保持部、５０６，５０７  液体試薬計量部、５０８，５０９，５１０，５１１  混合部、５１２  検出部、５１３，５１４  試薬注入口、５１５，５１６  溢出液収容部。
【図１】
2014134393.tif 000004
【図２】
2014134393.tif 000005
【図３】
2014134393.tif 000006
【図４】
2014134393.tif 000007
【図５】
2014134393.tif 000008
【図６】
2014134393.tif 000009
【図７】
2014134393.tif 000010
【図８】
2014134393.tif 000011
【図９】
2014134393.tif 000012
【図１０】
2014134393.tif 000013